(57)【要約】【課題】複数の通信インターフェイスを備える画像処理装置と操作装置との間で複数のデータを優先度に応じて効率的に伝送する。【解決手段】操作デバイス200の通信ＩＦ（ＵＳＢ）203はＵＳＢケーブルにより画像形成装置100の通信ＩＦ（ＵＳＢ）104と接続され、操作デバイス200の通信ＩＦ（無線ＬＡＮ）204は無線ネットワーク400より画像形成装置100の通信ＩＦ（無線ＬＡＮ）106と接続される。ユーザにより操作設定表示部201からジョブ設定が入力されると、通信制御部202は、ジョブにより送信されるデータに応じて、通信ＩＦ（ＵＳＢ）203又は通信ＩＦ（無線ＬＡＮ）204を選択し、データを画像形成装置100へ送信する。【選択図】図１
2014060580.tif 000002
【特許請求の範囲】
【請求項１】
それぞれ複数の通信インターフェイスを備え、複数のデータを通信する画像処理装置と操作装置とを有する画像処理システムであって、
前記複数のデータと前記複数の通信インターフェイスとの対応関係を示す通信管理情報を記憶する通信管理情報記憶手段と、
通信対象データを設定するデータ設定手段と、
前記通信管理情報を参照し、前記データ設定手段により設定されたデータに対応する通信インターフェイスを選択する通信インターフェイス選択手段と、
を備える画像処理システム。
【請求項２】
請求項１に記載された画像処理システムにおいて、
通信中のデータのデータ転送時間を算出する手段と、該算出する手段による算出結果が所定値以上か否かに基づいて、通信インターフェイス選択手段を制御する手段と、を有する画像処理システム。
【請求項３】
請求項１に記載された画像処理システムにおいて、
前記通信管理情報記憶手段は、優先度が相対的に高いデータをデータ転送速度が相対的に高い通信インターフェイスに対応付けて記憶する画像処理システム。
【請求項４】
複数の通信インターフェイスを備えるとともに、複数の通信インターフェイスを備える操作装置との間で複数のデータを通信する画像処理装置であって、
前記複数のデータと前記複数の通信インターフェイスとの対応関係を示す通信管理情報を記憶する通信管理情報記憶手段と、
通信対象データを設定するデータ設定手段と、
前記通信管理情報を参照し、前記データ設定手段により設定されたデータに対応する通信インターフェイスを選択する通信インターフェイス選択手段と、
を備える画像処理装置。
【請求項５】
複数の通信インターフェイスを備えるとともに、複数の通信インターフェイスを備える操作装置との間で複数のデータを通信する画像処理装置のコンピュータを、通信対象データを設定するデータ設定手段と、前記複数のデータと前記複数の通信インターフェイスとの対応関係を示す通信管理情報を参照し、前記データ設定手段により設定されたデータに対応する通信インターフェイスを選択する通信インターフェイス選択手段として機能させるためのプログラム。
【発明の詳細な説明】
【技術分野】
【０００１】
本発明は画像処理システム、画像処理装置、及びプログラムに関する。
【背景技術】
【０００２】
複数の通信インターフェイスを備えた端末装置間におけるデータの伝送を常に効率良く行うことが可能な技術は知られている。即ち、例えば特許文献１には、各々が備える複数の通信インターフェイスを介して互いに接続される第１の端末装置（例えばホストコンピュータ）と第２の端末装置（例えばネットワークプリンタ）とを備え、通信インターフェイスを介して第１の端末装置から第２の端末装置へデータを伝送するデータ伝送システムであって、予め設定された計測用データを複数の通信インターフェイスを介して第１の端末装置から第２の端末装置へ伝送すると共に、各通信インターフェイスにおける計測用データの伝送に要する計測用データ伝送時間をそれぞれ計測し、該計測結果に基づいて、複数の通信インターフェイスの中からデータの伝送に用いる通信インターフェイスを選択することを特徴とするデータ伝送システムが記載されている。
【０００３】
しかし、上記データ伝送システムでは、単一のデータを効率的に伝送するために最適な通信インターフェイスを選択しているに過ぎず、複数のデータに優先度を付け、複数の通信インターフェイスを利用することは考慮されていない。
【０００４】
そのため、例えば画像処理装置と操作装置間で固有に発生する操作コマンド、画像データ等の複数のデータを優先度に応じて効率的に伝送するための通信インターフェイスを選択することができないという問題がある。
【発明の概要】
【発明が解決しようとする課題】
【０００５】
本発明はこのような問題を解決するためになされたものであり、その目的は、複数の通信インターフェイスを備える画像処理装置と操作装置との間で複数のデータを優先度に応じて効率的に伝送できるようにすることである。
【課題を解決するための手段】
【０００６】
本発明に係る画像処理システムは、それぞれ複数の通信インターフェイスを備え、複数のデータを通信する画像処理装置と操作装置とを有する画像処理システムであって、前記複数のデータと前記複数の通信インターフェイスとの対応関係を示す通信管理情報を記憶する通信管理情報記憶手段と、通信対象データを設定するデータ設定手段と、前記通信管理情報を参照し、前記データ設定手段により設定されたデータに対応する通信インターフェイスを選択する通信インターフェイス選択手段と、を備える画像処理システムである。
【発明の効果】
【０００７】
本発明によれば、複数のデータの優先度に応じて通信管理情報を設定することにより、複数の通信インターフェイスを備える画像処理装置と操作装置との間で複数のデータを優先度に応じて効率的に伝送することができる。
【図面の簡単な説明】
【０００８】
【図１】本発明の実施形態に係る画像処理システムの構成を示す図である。
【図２】本発明の実施形態に係る画像処理システムにおける通信管理テーブルの一例を示す図である。
【図３】本発明の実施形態に係る画像処理システムにおける通信管理テーブルのユーザ設定の一例を示す図である。
【図４】本発明の実施形態に係る画像処理システムにおける画像形成装置−操作デバイス間のデータ通信手順を示すシーケンス図である。
【図５】本発明の実施形態に係る画像処理システムにおいて、データ通信時間の算出結果を基に通信路を切り替えるか否かを判定する手順を備えるデータ通信手順の一例を示すシーケンス図である。
【図６】本発明の実施形態に係る画像処理システムにおける通信路切り替え時間設定画面の一例を示す図である。
【図７】本発明の実施形態に係る画像処理システムにおいて、利用する通信路を決定する手順の一例を示すフローチャートである。
【発明を実施するための形態】
【０００９】
以下、本発明の実施形態について図面を参照して説明する。
〈画像処理システムの構成〉
図１は本発明の実施形態に係る画像処理システムの構成を示す図である。この画像処理システムは、画像形成装置100と、操作デバイス200とが、ＵＳＢ及び無線ネットワーク400により通信可能に接続された構成を有する。ここで、画像形成装置100、操作デバイス200が、それぞれ本発明に係る画像処理装置、操作装置に対応する。
【００１０】
画像形成装置100は、送信制御部101、印刷制御部102、通信制御部103、通信ＩＦ：インターフェイス（ＵＳＢ）104、通信ＩＦ（有線ＬＡＮ）105、通信ＩＦ（無線ＬＡＮ）106、スキャナデバイス107、及びプロッタデバイス108を備えている。ここで、送信制御部101、印刷制御部102、及び通信制御部103は、ソフトウェアにより実現される機能ブロック、即ち画像形成装置100内の図示されていないＣＰＵがＲＯＭなどに記憶されているプログラムをＲＡＭ上で実行することにより実現される手段である。
【００１１】
送信制御部101はメール、フォルダ送信等の送信ジョブの管理を行う。印刷制御部102は、スキャナデバイス107、プロッタデバイス108等のデバイスを制御し、印刷ジョブの管理を行う。
【００１２】
通信制御部103は、複数の通信ＩＦ（ここでは、通信ＩＦ（ＵＳＢ）104、通信ＩＦ（有線ＬＡＮ）105、通信ＩＦ（無線ＬＡＮ）106）と、送信制御部101、印刷制御部102との間のデータの転送を制御する。
【００１３】
通信ＩＦ（ＵＳＢ）104と操作デバイス200の通信ＩＦ（ＵＳＢ）203との間はＵＳＢケーブルが着脱自在に接続され、通信ＩＦ（有線ＬＡＮ）105はＬＡＮ300に接続される。また、通信ＩＦ（無線ＬＡＮ）106は無線ネットワーク400に接続される。
【００１４】
ここでは、通信ＩＦとして、ＵＳＢ、有線ＬＡＮ、及び無線ＬＡＮに対応するものを図示したが、Bluetooth（登録商標）、ＩｒＤＡ等に対応する通信ＩＦを設けることもできる。
【００１５】
スキャナデバイス107は原稿などの画像を読み取り、画像データを生成する手段であり、プロッタデバイス108は画像データに基づいて、用紙などに画像を印刷する手段である。
【００１６】
操作デバイス200は、操作設定表示部201、通信制御部202、通信ＩＦ（ＵＳＢ）203、及び通信ＩＦ（無線ＬＡＮ）204を備えている。ここで、操作設定表示部201、通信制御部202は、ソフトウェアにより実現される機能ブロック、即ち操作デバイス200内の図示されていないＣＰＵがＲＯＭなどに記憶されているプログラムをＲＡＭ上で実行することにより実現される手段である。操作デバイス200は、スマートフォンのような携帯情報端末により構成することができる。
【００１７】
操作設定表示部201は、ユーザインターフェイスを持ち、ユーザからの設定入力及びユーザに対する表示などを行う。通信制御部202は、複数の通信ＩＦ（ここでは、通信ＩＦ（ＵＳＢ）203、通信ＩＦ（無線ＬＡＮ）204）と操作設定表示部201との間のデータの転送を制御する。通信ＩＦ（ＵＳＢ）203は、画像形成装置100の通信ＩＦ（ＵＳＢ）104と接続され、通信ＩＦ（無線ＬＡＮ）204は無線ネットワーク400に接続される。Bluetooth（登録商標）、ＩｒＤＡ等に対応する通信ＩＦを設けることもできる。
【００１８】
画像形成装置100と操作デバイス200との間では、操作コマンド、及び画像データなど、複数のデータが送受される。このとき、操作デバイス200の通信制御部202は、操作デバイス200内の記憶装置（図示せず）に記憶されている通信管理テーブル（詳細については後述する）を用いて、複数の通信ＩＦ（ここでは、通信ＩＦ（ＵＳＢ）203、通信ＩＦ（無線ＬＡＮ）204）のどちらを使用するかを決定する。また、画像形成装置100の通信制御部103は、画像形成装置100内の記憶装置（図示せず）に記憶されている通信管理テーブルを用いて、複数の通信ＩＦ（ここでは、通信ＩＦ（ＵＳＢ）104、通信ＩＦ（無線ＬＡＮ）106）のどれを使用するかを決定する。通信管理テーブルは、画像形成装置100内及び操作デバイス200内のそれぞれに設けられる場合だけではなく、いずれか一方側にのみ設けられて一方側から他方側への通信について本発明が適用されるようにしてもよい。また、無線ネットワーク400上のサーバ内の記憶装置（図示せず）に通信管理テーブルを設けることもできる。
【００１９】
〈通信管理テーブル〉
図２は本発明の実施形態に係る画像処理システムにおける通信管理テーブルの一例を示す図である。本実施形態では、画像形成装置100内及び操作デバイス200内に同じ通信管理テーブルが記憶される。なお、画像形成装置100内及び操作デバイス200内に互いに異なる通信管理テーブルを設けることも可能である。
【００２０】
図示のように、通信管理テーブルは、管理番号、利用データ（通信対象データ）、及び通信ＩＦを対応付けて記憶している。ここでは、利用データとして、指示データ、状態データ、画像データ、及び管理データからなる４種類のデータに対し、通信ＩＦとして、それぞれＵＳＢ、ＵＳＢ、無線ＬＡＮ、無線ＬＡＮが対応付けられている。ここでは、優先度がより高いデータである指示データ及び状態データを転送速度がより高い（速い）通信ＩＦであるＵＳＢに対応付けている。このように、各データに優先度を付け、複数の通信ＩＦを利用可能とすることで、遅延のない通信ＩＦを選択し、効率的に伝送することができる。
【００２１】
従って、この通信管理テーブルによれば、操作デバイス200と画像形成装置100との間で指示データ又は状態データの通信を行うときは互いの通信ＩＦ（ＵＳＢ）を使用し、画像データ又は管理データの通信を行うときは互いの通信ＩＦ（無線ＬＡＮ）を使用することになる。
【００２２】
ここで、指示データとは、解像度や読み取りサイズなどの設定情報であり、操作デバイス200内の操作設定表示部201で通信対象データとして設定される。状態データとは、読み取った枚数やジョブ進捗状況など、画像形成装置100のジョブ実行状態を示すデータであり、画像形成装置100内の送信制御部101で通信対象データとして設定される。画像データとは、実際に原稿を読み取った画像データや、この読み取った画像に基づいて生成されてプレビュー、サムネイルなどに利用される画像データであり、画像形成装置100内の送信制御部101で通信対象データとして設定される。管理データとは、アドレス帳データや機器の設定などの管理情報であり、操作デバイス200内の操作設定表示部201で通信対象データとして設定される。
【００２３】
〈通信管理テーブルのユーザ設定〉
図３は本発明の実施形態に係る画像処理システムにおける通信管理テーブルのユーザ設定の一例を示す図である。このユーザ設定は、初期設定時、即ち例えば操作デバイス200を最初に画像形成装置100に接続した時に実行することができる。
【００２４】
ここでは、操作デバイス200のタッチパネルに表示されている表示優先設定画面210内に「画像」キー211及び「進捗表示」キー212が配置されている。そして、「画像」キー211を押下した結果、図２に示す設定から状態データの通信に利用する通信ＩＦと画像データの通信に利用する通信ＩＦを交換している。つまり、画像データの表示優先度を状態データの１つである進捗表示の優先度より高くするために、画像データの通信に用いる通信ＩＦを無線ＬＡＮよりデータ転送速度が高いＵＳＢに変更するとともに、状態データの通信に用いる通信ＩＦをＵＳＢよりデータ転送速度が低い無線ＬＡＮに変更している。
【００２５】
このユーザ設定により、操作デバイス200内の既存の通信管理テーブルが更新される。また、変更後の通信管理テーブルは画像形成装置100へ送信され、画像形成装置100内の既存の通信管理テーブルが更新される。
【００２６】
〈画像形成装置−操作デバイス間のデータ通信手順〉
図４は本発明の実施形態に係る画像処理システムにおける画像形成装置−操作デバイス間のデータ通信手順を示すシーケンス図である。ここでは、画像形成装置で原稿を読取り、その読み取った画像を指定した宛先に送信するスキャン送信ジョブを例示しており、操作デバイス200におけるジョブ設定から画像形成装置による送信完了通知までの手順を示している。
【００２７】
まずユーザが操作デバイス200を用いて、操作設定表示部201に対しジョブ設定を入力する（手順Ｓ1）。ジョブ設定とは、コピージョブの場合は部数などの印刷設定のことであり、スキャンジョブの場合は解像度などの読み取り設定のことであり、送信ジョブの場合は宛先などの送信設定のことである。
【００２８】
次にユーザが操作デバイス200を用いて、操作設定表示部201に対し実行指示を入力する（手順Ｓ2）。操作設定表示部201は、実行指示を通信制御部202へ送る（手順Ｓ3）。
【００２９】
通信制御部202は、受け取ったジョブ設定を基にデータ通信路を判定する（手順Ｓ4）。ここでは、ジョブ設定により送信されるデータは指示データであるから、通信制御部202は、通信管理テーブル（図２）にアクセスすることで、データの通信に使用する通信ＩＦを示す情報としてＵＳＢを取得する。次に通信制御部202は、手順Ｓ4の判定結果、即ち通信管理テーブルから取得した情報を基に、通信ＩＦ（ＵＳＢ）203に実行指示及びジョブ設定を送る（手順Ｓ5）。
【００３０】
通信ＩＦ（ＵＳＢ）203は、画像形成装置100の通信ＩＦ（ＵＳＢ）104に対し、指示データ（実行指示及びジョブ設定）を送信する（手順Ｓ6）。画像形成装置100では、実行指示及びジョブ設定が、通信制御部103を経由して送信制御部101へ送られる（手順Ｓ7、Ｓ8）。
【００３１】
実行指示及びジョブ設定を受け取った送信制御部101は、スキャナデバイス107に対し、読み取り指示を送る（手順Ｓ9）。スキャナデバイス107は、読み取り指示に従って画像を読み取り、読み取り結果を送信制御部101へ送る（手順Ｓ10）。
【００３２】
送信制御部101は、１ページ目の画像通知（プレビュー画像通知）、即ち１ページ目の画像データ（プレビュー画像データ）を通信制御部103へ送り（手順Ｓ11）、次に読み取り終了の状態通知を作成して、通信制御部103へ送る（手順Ｓ12）。
【００３３】
次に通信制御部103は、画像通知及び状態通知の通信路を判定する（手順Ｓ13）。即ち、画像形成装置100内の通信管理テーブルにアクセスして、画像データ及び状態データの通信に使用される通信路を示す情報を取得する。この結果、通信制御部103は、画像データの通信用として通信ＩＦ（無線ＬＡＮ）106、状態データの通信用として通信ＩＦ（ＵＳＢ）104を選択する。
【００３４】
次に通信制御部103は、１ページ目の画像通知を通信ＩＦ（無線ＬＡＮ）106へ送る（手順Ｓ14）。通信ＩＦ（無線ＬＡＮ）106は画像データ（１ページ目の画像通知）を操作デバイス200の通信ＩＦ（無線ＬＡＮ）204へ送信する（手順Ｓ15）。
【００３５】
操作デバイス200では、１ページ目の画像通知が、通信ＩＦ（無線ＬＡＮ）204から通信制御部202を経由して操作設定表示部201へ送られる（手順Ｓ16、Ｓ17）。そして、操作設定表示部201により、１ページ目の画像がプレビュー表示される（手順Ｓ18）。
【００３６】
画像形成装置100内の通信制御部103は、１ページ目の画像通知を通信ＩＦ（無線ＬＡＮ）106へ送信した後、読み取り終了の状態通知を通信ＩＦ（ＵＳＢ）104へ送信する（手順S19）。通信ＩＦ（ＵＳＢ）104は状態データ（読み取り終了の状態通知）を操作デバイス200の通信ＩＦ（ＵＳＢ）203へ送信する（手順Ｓ20）。
【００３７】
操作デバイス200では、読み取り終了の状態通知が、通信ＩＦ（ＵＳＢ）203から通信制御部202を経由して操作設定表示部201へ送られる（手順Ｓ21、Ｓ22）。そして、操作設定表示部201により、読み取り終了がユーザに通知される（手順Ｓ23）。
【００３８】
画像形成装置100内の送信制御部101は送信処理（手順Ｓ24）が終了すると、実際に読み取った画像データを所定の宛先へ送信するために、その画像データを含む送信指示を例えば通信ＩＦ（無線ＬＡＮ）106へ送信し（手順Ｓ25）、所定の宛先へ送信する。なお、この画像データを含む送信指示は、通信ＩＦ（無線ＬＡＮ）106ではなく、通信ＩＦ（有線ＬＡＮ）105に送信してもよい。次いで送信終了の状態通知を作成して、通信制御部103へ送る（手順Ｓ26）。通信制御部103は送信終了の状態通知を既に手順S13で判断した通信ＩＦ（ＵＳＢ）104へ送る（手順Ｓ27）。通信ＩＦ（ＵＳＢ）104は状態データ（送信終了の状態通知）を操作デバイス200の通信ＩＦ（ＵＳＢ）203へ送信する（手順Ｓ28）。
【００３９】
操作デバイス200では、送信終了の状態通知が、通信ＩＦ（ＵＳＢ）203から通信制御部202を経由して操作設定表示部201へ送られる（手順Ｓ29、Ｓ30）。そして、操作設定表示部201により、送信終了がユーザに通知される（手順Ｓ31）。
【００４０】
このように、画像形成装置100では、ジョブの実行状態が変化する度に、操作デバイス200に状態データを送信し、操作デバイス200は状態データに基づいてジョブの進捗状況を表示する。
【００４１】
〈データ通信時間の算出結果に基づく通信路の切り替え〉
図５は本発明の実施形態に係る画像処理システムにおいて、データ通信時間の算出結果を基に通信路を切り替えるか否かを判定する手順を備えるデータ通信手順の一例を示すシーケンス図である。
【００４２】
図示のように、画像形成装置100では、通信ＩＦ（有線ＬＡＮ）105により受信されたデータが通信制御部103へ送られる（手順S41）。通信制御部103は、受信したデータのデータ転送時間（＝データサイズ／通信ＩＦ（無線ＬＡＮ）106の転送速度）を算出する（手順S42）。ここでは、受信したデータが、通信ＩＦ（無線ＬＡＮ）106を利用して送信されると予め決められている、あるいは、受信データの種類により通信管理テーブルに基づいて通信ＩＦ（無線ＬＡＮ）106を利用して送信されると判断されているとする。なお、図５では、通信ＩＦ（無線ＬＡＮ）106は省略されている。
【００４３】
次に通信制御部103は、算出したデータ転送時間が所定値以上か否かに基づいて、他のデータ通信により現在利用されている通信路（通信ＩＦ）を利用する（ここでは通信ＩＦ（無線ＬＡＮ）106が現在利用されているとする）か、他の通信路に切り替えるかを判断する（手順S43）。即ち、データ転送時間が所定値未満の場合は現在利用されている通信路（通信ＩＦ）を利用し、所定値以上の場合は他の通信路に切り替える。
【００４４】
このデータ転送時間の所定値は、画像形成装置100のオペレーションパネルに表示される通信路切り替え時間設定画面からユーザが設定することが出来る。図６に通信路切り替え時間設定画面の一例を示す。ここでは、通信路切り替え時間設定画面120に設定時間入力枠121が表示され、時間が１０秒に設定された状態を示している。
【００４５】
図５の説明に戻る。ここでは、データ転送時間が所定値以上であり、通信ＩＦ（無線ＬＡＮ）106より高速なデータ転送が可能な通信ＩＦ（ＵＳＢ）104に切り替えている。この結果、通信制御部103は、通信ＩＦ（ＵＳＢ）104へデータを送信し（手順S44）、通信ＩＦ（ＵＳＢ）104は、操作デバイス200の通信ＩＦ（ＵＳＢ）203へデータを送信する（手順S45）。操作デバイス200では、通信ＩＦ（ＵＳＢ）203により受信されたデータが通信制御部202へ送られる（手順Ｓ46）。
【００４６】
〈利用する通信路を決定する手順〉
図７は本発明の実施形態に係る画像処理システムにおいて、利用する通信路を決定する手順の一例を示すフローチャートである。このフローは画像形成装置100内のＣＰＵにより実行される。
【００４７】
最初にデータ通信中か否かを判定し（ステップST101）、データ通信中でない場合は（ステップST101:NO）、単一の通信路を利用することを決定し（ステップST102）、この図に示すフローを終了する。本実施形態では、単一の通信路として通信速度が最速の通信路（通信ＩＦ）であるＵＳＢを利用する。なお、ステップST101は特になくても構わない。
【００４８】
データ通信中であった場合は（ステップST101:YES）、特定の条件（ここではデータ種別又はデータ転送時間）に基づいて通信路を切り替えることが予めユーザの指示などを基に設定されているか否かを判定する（ステップST103）。
【００４９】
判定の結果、設定されていない場合は（ステップST103:なし）、既に通信中の通信路を利用することを決定し（ステップST105）、この図に示すフローを終了する。
【００５０】
データ種別に基づいて通信路を切り替えることが設定されている場合は（ステップST103:データ種別）、通信管理テーブルにアクセスして、データ通信中のデータの種類に対応する通信ＩＦが現在利用中の通信ＩＦと一致するか否かを判定する（ステップST104）。
【００５１】
判定の結果、一致する場合は（ステップST104:YES）、既に通信中の通信路を利用することを決定し（ステップST105）、この図に示すフローを終了する。また、一致しない場合は（ステップST104:NO）、既に通信中の通信路とは別の通信路（データ通信中のデータの種類に対応する通信ＩＦ）を利用することを決定し（ステップST106）、この図に示すフローを終了する。
【００５２】
データ転送時間に基づいて通信路を切り替えることが設定されている場合は（ステップST103:データ転送時間）、データ転送時間を算出し、所定値以上か否かを判定する（ステップST107）。なお、ステップST107がステップST104〜105の後に来るようにしても構わない。
【００５３】
判定の結果、所定値未満であった場合は（ステップST107:NO）、既に通信中の通信路を利用することを決定し（ステップST108）、この図に示すフローを終了する。また、所定値以上であった場合は（ステップST107:YES）、既に通信中の通信路とは別の通信路（より高速の通信路）を利用することを決定し（ステップST109）、この図に示すフローを終了する。
【００５４】
以上詳細に説明したように、本発明の実施形態に係る画像処理システムによれば、複数の通信インターフェイスを備える画像処理装置と操作装置との間で複数のデータを転送する際、データの種類やデータ転送速度に応じて、通信路を切り替えることができるので、複数のデータを効率的に伝送することができる。また、データの種類やデータ転送速度を切り替える基準となるデータの優先度やデータ転送時間をユーザの所望により設定することができる。ここで、データ転送速度の代わりに、データサイズに応じて、通信路を切り替えるように構成することもできる。
【符号の説明】
【００５５】
100…画像形成装置、103，202…通信制御部、104，203…通信ＩＦ（ＵＳＢ）、105…通信ＩＦ（有線ＬＡＮ）、106，204…通信ＩＦ（無線ＬＡＮ）、200…操作デバイス、201…操作設定表示部。
【先行技術文献】
【特許文献】
【００５６】
【特許文献１】特開２００４−３０４３２４号公報
【図１】
2014060580.tif 000003
【図２】
2014060580.tif 000004
【図３】
2014060580.tif 000005
【図４】
2014060580.tif 000006
【図５】
2014060580.tif 000007
【図６】
2014060580.tif 000008
【図７】
2014060580.tif 000009